(57)【要約】【課題】便器本体のデッドスペースを有効活用できるとともに、便器本体に容易に設置できる便器排水路の吸気装置を提供する。【解決手段】便器排水路５の吸気装置は、便器本体１の便器排水路５から空気を吸気する吸気手段を備える。吸気手段は、エゼクタ３０と、エゼクタ３０と接続され、負圧を蓄圧する負圧蓄圧タンク７０と、負圧蓄圧タンク７０と便器排水路５との間に接続され、便器排水路５から空気を吸引する吸引タンク８０とを有する。負圧蓄圧タンク７０は、便器本体１における便鉢２の後方に形成された収納空間１Ｑ内に上方から吊り下げ可能に構成されている。【選択図】図３
2008261168.tif 000002
【特許請求の範囲】
【請求項１】
便器本体の水封部の下流側に連なる便器排水路から空気を吸気する吸気手段を備えた便器排水路の吸気装置において、
前記吸気手段は、負圧発生装置と、該負圧発生装置と接続され、負圧を蓄圧する負圧蓄圧タンクと、該負圧蓄圧タンクと接続され、前記便器排水路に負圧を伝達する伝達装置とを有し、
前記負圧蓄圧タンクは、前記便器本体における便鉢の後方に形成された収納空間内に上方から吊り下げ可能に構成されていることを特徴とする便器排水路の吸気装置。
【請求項２】
前記負圧発生装置と前記負圧蓄圧タンクとは途中に逆止弁が設けられた第１導圧管により接続され、
該第１導圧管は該負圧蓄圧タンクの最下部に接続されている請求項１記載の便器排水路の吸気装置。
【請求項３】
前記負圧蓄圧タンクは略円筒状の筒部を有する樽型形状であり、
該筒部には周方向に一回りする帯状の凹部が１以上凹設され、
該凹部の外周面には、帯状の吊り下げ用部材が巻き掛けられている請求項１又は２記載の便器排水路の吸気装置。
【発明の詳細な説明】
【技術分野】
【０００１】
本発明は便器排水路の吸気装置に関する。
【背景技術】
【０００２】
特許文献１の図８〜図１５に、従来の便器排水路の吸気装置が開示されている。この吸気装置は、便器本体の水封部の下流側に連なる便器排水路から空気を吸気する吸気手段を備えている。
吸気手段は、具体的には、負圧発生装置と、負圧発生装置と便器排水路との間に開閉弁を介して接続され、負圧を蓄圧して便器排水路から空気を吸引する負圧蓄圧タンクと、開閉弁を制御する制御手段とを有している。
このような構成である従来の便器排水路の吸気装置は、便器排水路の空気を吸引することにより、早期に便器排水路を洗浄水で満水状態にすることができるため、少ない洗浄水で早期にサイホン作用を発生させることができる。
【特許文献１】特開２００６−１７７０５１号公報
【発明の開示】
【発明が解決しようとする課題】
【０００３】
ところで、便器に対して一層の小型化及び施工性の向上が求められていることから、上記従来の便器排水路の吸気装置に対しても、便器本体のデッドスペースを有効活用するとともに、便器本体に容易に取り付け可能とすることが求められている。しかしながら、従来の吸気装置において、上述の通り、吸気手段は複数の構成要素の集合体であることから、設置スペースが大きくなり易く、また、取り付け作業も手間がかかるという事情がある。
【０００４】
本発明は、上記従来の実情に鑑みてなされたものであって、便器本体のデッドスペースを有効活用できるとともに、便器本体に容易に設置できる便器排水路の吸気装置を提供することを解決すべき課題としている。
【課題を解決するための手段】
【０００５】
本発明の便器排水路の吸気装置は、便器本体の水封部の下流側に連なる便器排水路から空気を吸気する吸気手段を備えた便器排水路の吸気装置において、前記吸気手段は、負圧発生装置と、該負圧発生装置と接続され、負圧を蓄圧する負圧蓄圧タンクと、該負圧蓄圧タンクと接続され、前記便器排水路に負圧を伝達する伝達装置とを有し、前記負圧蓄圧タンクは、前記便器本体における便鉢の後方に形成された収納空間内に上方から吊り下げ可能に構成されていることを特徴とする。
【０００６】
このような構成である本発明の便器排水路の吸気装置では、便器本体に負圧蓄圧タンクを設置する際、便器本体における便鉢の後方に形成された収納空間内に上方から吊り下げるだけでよい。
【０００７】
したがって、本発明の便器排水路の吸気装置は、便器本体のデッドスペースを有効活用できるとともに、便器本体に容易に設置できる。
【０００８】
また、この便器排水路の吸気装置は、収納空間内に負圧蓄圧タンクを下から支える支持台を設けるものではないので、構成の簡略化を図れる。
【０００９】
本発明の便器排水路の吸気装置において、前記負圧発生装置と前記負圧蓄圧タンクとは途中に逆止弁が設けられた第１導圧管により接続され、該第１導圧管は該負圧蓄圧タンクの最下部に接続されていることが好ましい。
【００１０】
この場合、負圧蓄圧タンク内に結露等によって万一水が発生しても負圧発生装置により負圧蓄圧タンク内の空気が吸引されるのに伴い、負圧蓄圧タンクの最下部に接続された第１導圧管を介して、負圧蓄圧タンクから水を容易に排出することができる。
【００１１】
本発明の便器排水路の吸気装置において、負圧蓄圧タンクは略円筒状の筒部を有する樽型形状であり、筒部には周方向に一回りする帯状の凹部が１以上凹設され、凹部の外周面には、帯状の吊り下げ用部材が巻き掛けられていることが好ましい。
【００１２】
この場合、負圧蓄圧タンクは、凹部によって負圧に耐え得るに十分な強度が確保されるので、負圧によって凹み変形されるのを防止できる。
【発明を実施するための最良の形態】
【００１３】
以下、本発明を具体化した実施例を図面を参照しつつ説明する。図６に示すように、この便器排水路の吸気装置は洋風水洗式便器の一部を構成するものであり、洋風水洗式便器は、前記吸気装置と便器本体１と導水管１０とを備えている。なお、便座及び便蓋の図示は省略する。
【００１４】
便器本体１は便鉢２の上部内周にリム３を有している。また、便器本体１は便鉢２の下端から便鉢２の裏面側で後方に延びる上昇流路を有し、この上昇流路は設置時の最高水位となる位置まで延びている。便鉢２の下方には上昇流路を含む水封部４が形成されている。便器本体１の上昇流路は接続管９０に接続され、接続管９０内には、水封部４寄りの位置から順に、便器排水路５、滞留部６、及び排水口７が配置されている。このうち便器排水路５は上昇流路の上端部から滞留部６側に向けて下り勾配で立ち下がっている。図１及び図２に示すように、便器本体１は、便鉢２の後方に上方が開口して左右及び後方が便鉢２から一体に連続する側壁１１に囲まれた収納部１Ｓを有している。収納部１Ｓ内（以下、収納空間１Ｑ）の構成については後に詳述する。
【００１５】
図６に示すように、導水管１０は止水弁Ｖ５を介して水道管に接続され、第１開閉弁Ｖ１によって開閉可能となっている。
【００１６】
吸気装置は、作動によって負圧を生じる負圧発生装置と、負圧を蓄圧する負圧蓄圧タンク７０と、負圧を便器排水路５側に伝達する伝達装置とを備えている。この実施例において、伝達装置は便器排水路５から空気を吸引する吸引タンク８０によって構成され、負圧発生装置はエゼクタ３０によって構成されている。
【００１７】
エゼクタ３０はその上端に導水管１０の端末が接続される導入口３１を有し、その下端に洗浄水が貯留されたタンク２０の内部に臨む導出口３２を有している。また、エゼクタ３０は導出口３２と導入口３１との間に外部に連通する吸気口３３を有し、この吸気口３３は第１導圧管１１０を介して負圧蓄圧タンク７０に接続されている。後述するように、エゼクタ３０内を洗浄水が流れるのに伴い、吸気口３３から空気が吸引され、これによって負圧蓄圧タンク７０に負圧が蓄圧されるようになっている。
【００１８】
第１導圧管１１０のうち吸気口３３寄りの一端部には、外部からエゼクタ３０側への空気の流入のみを許容する逆止弁１１１が設けられている。また、第１導圧管１１０のうち逆止弁１１１よりも負圧蓄圧タンク７０寄りの他端部には、第２導圧管１２０が分岐して接続されるとともに、第３導圧管１３０が分岐して接続されている。第２導圧管１２０は、その一端が外部に開口し、その他端が第２開閉弁Ｖ２を介して第１導圧管１１０と開閉可能に接続されている。また、第３導圧管１３０は、その一端が吸引タンク８０に連通し、その他端が第３開閉弁Ｖ３を介して第１導圧管１１０と開閉可能に接続されている。
【００１９】
吸引タンク８０の内部は、設置時の上下方向で移動可能な隔膜８３によって第１室８１と第２室８２とに区画されている。第１室８１は第３導圧管１３０に連通し、第２室８２は吸引管８５によって便器排水路５に連通している。なお、第１開閉弁Ｖ１、第２開閉弁Ｖ２、第３開閉弁Ｖ３は空気用の開閉弁であり、制御装置Ｃにより開閉タイミング及び開閉時間が制御されている。
【００２０】
次に、図６を参照しつつ便器洗浄装置の作動について概略を説明する。  
非洗浄時には、第１開閉弁Ｖ１、第２開閉弁Ｖ２、第３開閉弁Ｖ３は閉弁している。この状態では、タンク２０内に洗浄水が貯留され、吸引タンク８０内の隔膜８３は吸引タンク８０内の下内壁面に当接している。
【００２１】
用便後、第１開閉弁Ｖ１が開弁すると、洗浄水が導水管１０内を通ってタンク２０内に流入し、さらにタンク２０内の洗浄水が送水管４５を通ってリム３に供給される。リム３に供給された洗浄水は便鉢２の内面に沿って旋回しながら流れ落ち、汚物を便鉢２の中央に集める。この間、エゼクタ３０にも洗浄水が流れて負圧が発生し、この負圧によって負圧蓄圧タンク７０内に負圧が蓄圧される。
【００２２】
所定時間の経過後、第３開閉弁Ｖ３が開弁すると、負圧蓄圧タンク７０内の負圧が第３導圧管１３０を介して吸引タンク８０に伝達され、第１室８１内が負圧になって、隔膜８３が吸引タンク８０の上内壁面に当接可能な位置まで引き上げられる。隔膜８３の引き上げに伴い、便器排水路５内の空気が第２室８２に吸引され、便器排水路５内にも負圧が伝達される。すると、この便器排水路５内への負圧伝達により、便器排水路５内が洗浄水で満水状態となり、サイホン作用が発生し、少ない洗浄水で早期に排出流が形成される。また、便鉢２の中央に集められた汚物は吸引される洗浄水にのって便器排水路５側へ確実に排出される。
【００２３】
さらに所定時間の経過後、第２開閉弁Ｖ２を開弁し、第３開閉弁Ｖ３を閉弁する。第２開閉弁Ｖ２の開弁に伴い、大量の空気が第１導圧管１１０を通ってタンク２０内に流入し、タンク２０内の洗浄水は流入した空気によってリム３側に押し出される。これにより、便鉢２への供給水量が急激に増加し、便鉢２内に残留していた汚物が便器排水路５側へいっそう確実に排出される。
【００２４】
その後、第１開閉弁Ｖ１を閉弁し、第３開閉弁Ｖ３を開弁すると、吸引タンク８０の第１室８１が第２開閉弁Ｖ２を介して外部と連通し、第１室８１内がほぼ大気圧となり、隔膜８３が下降する。それに伴い、便器排水路５内に第２室８２から空気が押し込まれ、便器排水路５内の空気が増加して、サイホン作用が終了する。
【００２５】
次に、この実施例の特徴的な構成である負圧蓄圧タンク７０及びその周辺構造について説明する。  
負圧蓄圧タンク７０は合成樹脂製であって、図３ないし図５に示すように、全体として樽型形状をなしている。詳しくは負圧蓄圧タンク７０は、円筒状の筒部７１と、筒部７１の両端開口を塞いで外側に膨らむ前後一対の曲面部７２とから一体に形成され、その内部は中空部７３となっている。また、この負圧蓄圧タンク７０は筒部７１及び曲面部７２を縦割りした一対の半割体７４によって構成され、両半割体７４はその対向縁同士を溶着することで合体されている。
【００２６】
負圧蓄圧タンク７０の下端部（最下部）には筒部７１の下壁を貫通しつつ下向きに突出する接続筒部７５が一体に形成されている。負圧蓄圧タンク７０の中空部７３は、接続筒部７５の接続開口７５Ａを通して第１導圧管１１０内に連通しているが、この第１導圧管１１０内を除けば外壁により包囲されて密閉されている。
【００２７】
また、接続筒部７５内には第１導圧管１１０の端末部を構成するＬ字形の接続管材７７が嵌め込まれている。接続管材７７の外周面と接続筒部７５の内周面との間にはシールリング７８が介設されている。また、接続管材７７の外周面と接続筒部７５の外周面とには両外周面に跨ってＣ字形の止め具７９が取り付けられ、この止め具７９によって接続管材７７が接続筒部７５に固定されている。接続管材７７の端末はほぼ水平方向を向いて開口し、ここに第１導圧管１１０の本体部分の端末が嵌合して接続される。
【００２８】
接続筒部７５の接続開口７５Ａは負圧蓄圧タンク７０の最下部にあって下向きに開口しているため、負圧蓄圧タンク７０内に万一水が進入したり結露水が発生したりしても、そのような水は接続開口７５Ａを通して中空部７３から第１導圧管１１０側へ確実に排出される。したがって、負圧蓄圧タンク７０の負圧蓄圧性能を長期に亘って良好に保つことができる。
【００２９】
また、負圧蓄圧タンク７０の筒部７１には、周方向に一回りする帯状の凹部７６が凹設されている。この凹部７６は、筒部７１の両端部に間隔をあけて２条設けられ、その内周面と外周面とをいずれも径方向内向きに凹ませて構成されている。凹部７６の外周面には、金属製の吊り下げ部材１５０が巻き掛けられている。吊り下げ部材１５０は、帯板状で、かつ縮径可能なＣ字形をなし、凹部７６に緊密に嵌着されている。そして、この吊り下げ部材１５０は負圧蓄圧タンク７０を上から抱きかかえる態様で凹部７６の外周面に回曲させられ、その両自由端部を筒部７１よりも上方に位置させている。吊り下げ部材１５０の両自由端部にはブラケット１６０に対する取付部１５１がほぼ垂直に立ち上げ形成されている。
【００３０】
吊り下げ部材１５０は取付部１５１によってブラケット１６０に固定されている。ブラケット１６０は金属板を曲げ加工して形成され、収納部１Ｓの上面開口付近を部分的に覆う本体部１６１と、この本体部１６１の周縁部から上方に起立してその上端を外向きに屈曲させることで、収納部１Ｓの上面開口の開口縁部に掛け止められる複数の支持部１６２とを備えている。つまりブラケット１６０は、各支持部１６２によって便器本体１の収納空間１Ｑ内に架設されている。
【００３１】
本体部１６１には下向きに切り起こされた受け部１６３が形成され、この受け部１６３と吊り下げ部材１５０の取付部１５１とが互いに対面し合わさったところにボルト締めがなされ、双方が固定されるようになっている。こうして吊り下げ部材１５０がブラケット１６０に固定され、ブラケット１６０が便器本体１に支持されることにより、負圧蓄圧タンク７０は便器本体１の収納空間１Ｑ内に上方から吊り下げられた状態で収容される。
【００３２】
また、ブラケット１６０において本体部１６１と各支持部１６２とが取り囲む内側空間は、吸引タンク８０の組付空間１６０Ａとされる。吸引タンク８０は組付空間１６０Ａに対して上方から挿入されて本体部１６１の上面に載せられる。このブラケット１６０には、各支持部１６２とは別に、本体部１６１の周縁部から上方に起立する複数の立上部１６４が形成されており、各立上部１６４の上端に、吸引タンク８０の外周縁を上方から押さえ付けることで吸引タンク８０の組付空間１６０Ａからの抜け出しを規制する押さえ片１６５が接続されている。
【００３３】
このように、ブラケット１６０はその下面側で負圧蓄圧タンク７０を吊り下げ支持するとともにその上面側で吸引タンク８０を載置支持するものであるから、負圧蓄圧タンク７０と吸引タンク８０とがそれぞれ専用のブラケット１６０で支持される場合に比べ、部品点数を削減することができる。
【００３４】
さて、負圧蓄圧タンク７０は、上述したように、吊り下げ部材１５０及びブラケット１６０に支持されつつ収納空間１Ｑに配置されている。便器本体１の収納空間１Ｑには、この負圧蓄圧タンク７０の収納領域に加え、タンク２０、エゼクタ３０、及び排水用の接続管９０等が配置される収納領域が設けられている。図１に示すように、負圧蓄圧タンク７０の収納領域は、接続管９０の上流部９１の横隣りで、かつ接続管９０の下流部９２よりも上方に位置している。便器本体１の収納空間１Ｑのうち接続管９０の上流部９１を挟んで負圧蓄圧タンク７０の収納領域と反対側には、エゼクタ３０とタンク２０とがそれぞれ上下に並んで配置されている。
【００３５】
また、負圧蓄圧タンク７０は、吊り下げ部材１５０によって接続管９０の下流部９２から上方に浮いた状態で配置され、かつ、曲面部７２を接続管９０の排水流入口９３の開口側と同じ方向に向け、筒部７１の軸方向をほぼ水平方向に揃えて配置されている。そして、この負圧蓄圧タンク７０を支持するブラケット１６０は、接続管９０の上流部９１の直上方に位置し、接続管９０の上方に吸引タンク８０が配置されている。したがって、負圧蓄圧タンク７０は、上方に位置する吸引タンク８０と、下方に位置する接続管９０の下流部９２と、図示左横に位置する接続管９０の上流部９１と、図示右横に位置する便器本体１の側壁１１とによって囲まれた空間内に設置されることとなる。
【００３６】
ここで、接続管９０の下流部９２は、前後長を短くするためにとぐろを巻いた形状をなし、横方向に張り出して配置されている。そうすると、負圧蓄圧タンク７０を接続管９０の横隣りに設定するにあたり、接続管９０の下流部９２との干渉を避ける必要がある。この場合、接続管９０の外周面が曲面形状であるため、接続管９０の下流部９２を跨いで負圧蓄圧タンク７０を下支えする支持台を構築しようとすると、支持台の構造が大掛かりで煩雑なものとなってしまう。
【００３７】
その点、この発明においては、負圧蓄圧タンク７０を吊り下げ部材１５０によって吊り下げて支持するだけよいから、構成が大幅に簡略化され、実用性が高められるとともに安価に製造することができる。また、便器本体１のデッドスペースの有効活用を図れ、便器本体１への組み付け性も良好となる。
【００３８】
このように本発明の吸気装置では、便器本体１の収納空間１Ｑ内に負圧蓄圧タンク７０を上方から吊り下げる構成であるから、収納空間１Ｑ内に収容された他部品（タンク２０、エゼクタ３０、接続管９０、吸引タンク８０等）との干渉を回避するのが容易となり、収納空間１Ｑを無駄なく利用できる。この場合、吊り下げ手段として吊り下げ部材１５０を用いればよいから、上述した支持台の如きものを廃止でき、その分の空いたスペースを有効に活用できる。
【００３９】
また、負圧蓄圧タンク７０の最下部に、第１導圧管１１０に通じる接続開口７５Ａが形成されているから、負圧蓄圧タンク７０の中空部７３内に万一水が進入したり結露水が発生したりしても、そのような水は接続開口７５Ａに集められ、接続開口７５Ａから第１導圧管１１０内に排出される。
【００４０】
さらに、負圧蓄圧タンク７０は、全体として樽型形状をなしているから、その強度が高められて、負圧発生時に凹み変形するのを防止できる。この場合、筒部７１に設けられた凹部７６によって負圧蓄圧タンク７０の強度をいっそう高めることができる。そして、この凹部７６は負圧蓄圧タンク７０に対する吊り下げ部材１５０の位置決めとしての機能を兼備する。
【００４１】
上記実施例は本発明の一例であり、本発明は上記実施例に限定されるものではない。  
例えば、ブラケット１６０を廃止し、吊り下げ部材１５０の取付部１５１を収納部１Ｓの上面開口の開口縁部に直接掛け止めるようにしてもよい。  
また、吊り下げ部材１５０の個数は、負圧蓄圧タンク７０を吊り下げ可能であれば特に限定されるものではなく、１又は３以上であってもよい。  
さらに、負圧の伝達手段として、吸引タンク８０の代わりに、便器排水路５と第１導圧管１１０との間を連結する別の導圧管を設置してもよい。
【産業上の利用可能性】
【００４２】
本発明は水洗式便器に利用可能である。
【図面の簡単な説明】
【００４３】
【図１】実施例の便器排水路の吸気装置が収納された状態を示す便器本体の縦断面図である。
【図２】便器排水路の吸気装置が収納された状態を示す便器本体の側断面図である。
【図３】負圧蓄圧タンクの斜視図である。
【図４】負圧蓄圧タンクの正面図である。
【図５】負圧蓄圧タンクの側断面図である。
【図６】洋風水洗式便器の作動を説明する模式図である。
【符号の説明】
【００４４】
１…便器本体
１Ｑ…収納空間
３０…エゼクタ
７０…負圧蓄圧タンク
７１…筒部
７６…凹部
８０…吸引タンク
１５０…吊り下げ部材
【図１】
2008261168.tif 000003
【図２】
2008261168.tif 000004
【図３】
2008261168.tif 000005
【図４】
2008261168.tif 000006
【図５】
2008261168.tif 000007
【図６】
2008261168.tif 000008